(57)【要約】【課題】  簡単且つ迅速に機器導入時における構造評価等を行うことを可能にする。【解決手段】  本発明では、屋根仕上を含む予め定められた第1の種類の項目について、予め対応する数値が設定されている複数のレベルについての選択肢をユーザに提示し、選択を促し、ユーザにより選択された選択肢に対応する数値を特定し、記憶装置に格納し、建築面積と地上階数とスパン数とを含む予め定められた第2の種類の項目について、数値の入力をユーザに促し、ユーザにより入力された数値のデータを記憶装置に格納する工程と、記憶装置に格納されたデータを用いて構造計算書に含まれる特定の項目についてのデータを推定する。第1の種類の項目には屋根が歩行可能なタイプなのか歩行不可能なタイプなのかという項目等が含まれ得る。このように具体的な数値が分からずとも調査できる範囲で入力すれば、専門家ではなくとも構造計算書のデータを得られる。【選択図】  図１
2006277643.tif 000002
【特許請求の範囲】
【請求項１】
屋根仕上を含む予め定められた第１の種類の項目について、予め対応する数値が設定されている複数のレベルについての選択肢をユーザに提示し、選択を促すステップと、
前記ユーザにより選択された選択肢に対応する数値を特定し、記憶装置に格納するステップと、
建築面積と地上階数とスパン数とを含む予め定められた第２の種類の項目について、数値の入力をユーザに促すステップと、
前記ユーザにより入力された数値のデータを前記記憶装置に格納するステップと、
前記記憶装置に格納されたデータを用いて、前記構造計算書に含まれる特定の項目についてのデータを推定し、前記記憶装置に格納するステップと、
をコンピュータに実行させるためのプログラム。
【請求項２】
対象建物が鉄筋コンクリートである場合には、第２の種類の項目が、断面形状を含む
請求項１記載のプログラム。
【請求項３】
前記記憶装置に格納された、前記構造計算書に含まれる特定の項目についてのデータを用いて、軸力、曲げモーメント、及び設計用剪断力を算出するステップ
をさらにコンピュータに実行させるためのプログラム。
【発明の詳細な説明】
【技術分野】
【０００１】
本発明は、屋上蓄熱架台設計支援技術に関する。
【背景技術】
【０００２】
近年、建物の屋上に空調機器を設置するケースが多く発生しているが、既存建物への蓄熱システム導入には困難が多い。例えば、機器選定にあたっての建築構造的影響、設置スペースの確保などの制約をクリアする必要がある。このような制約をクリアするためには、設計図や構造計算書から柱や梁の強度を推定したり、使用状況を調査したりするなどの検討を行う必要がある。
【０００３】
例えば特開２００２−１３２８５１号公報には、耐震支持架台の強度計算をユーザにより自由に行うことを可能とし、最適な耐震支持架台を自動選択でき、最適な耐震支持架台の計算結果を強度計算書として短時間で入手することができるようにするための技術が開示されている。具体的には、耐震支持架台の設置条件データをユーザが入力する通信ネットワークの端末を設ける。耐震支持架台の設置条件別に計算書フォームパターンと計算データとを保存したデータベースを設ける。端末から入力された設置条件データに基づいてデータベースの計算書フォームパターンと計算データとを選択しケーブルラックＰと耐震支持架台Ｋの強度計算を実行する演算処理装置を設ける。演算処理装置の計算結果と選択された耐震支持架台Ｋを端末画面に表示する。但し、屋上に蓄熱機器を設置する場合における問題については特に考慮されていない。また、専門知識を有しないユーザに対するユーザインターフェースに特徴があるものではない。
【特許文献１】特開２００２−１３２８５１号公報
【発明の開示】
【発明が解決しようとする課題】
【０００４】
上で述べたような検討は、専門知識を必要とするため、簡単には行うことができず、顧客に対する提案に時間がかかるという問題があった。また、顧客によっては構造計算書などの書類を取得できない場合も存在する。
【０００５】
従って、本発明の目的は、できるだけ簡単且つ迅速に、機器導入時における構造評価等を行うことを可能にするための技術を提供することである。
【課題を解決するための手段】
【０００６】
本発明に係る情報処理方法は、屋根仕上を含む予め定められた第１の種類の項目について、予め対応する数値が設定されている複数のレベルについての選択肢をユーザに提示し、選択を促すステップと、ユーザにより選択された選択肢に対応する数値を特定し、記憶装置に格納するステップと、建築面積と地上階数とスパン数とを含む予め定められた第２の種類の項目について、数値の入力をユーザに促すステップと、ユーザにより入力された数値のデータを記憶装置に格納するステップと、記憶装置に格納されたデータを用いて、構造計算書に含まれる特定の項目についてのデータを推定し、記憶装置に格納するステップとを含む。
【０００７】
例えば第１の種類の項目には、屋根が歩行可能なタイプなのか歩行不可能なタイプなのかという項目、耐震壁の量が多いのか、普通なのか、少ないのかといった項目、壁の量が多いのか、普通なのか、少ないのかといった項目などが含まれ得る。このようにすれば、具体的な数値が分からずとも、調査できる範囲で入力することにより、専門家ではなくとも構造計算書における特定の項目のデータを得ることができるため、評価を簡単且つ迅速にすることができる。
【０００８】
なお、対象建物が鉄筋コンクリートである場合には、第２の種類の項目が、断面形状を含むようにしてもよい。
【０００９】
さらに、上記記憶装置に格納された、構造計算書に含まれる特定の項目についてのデータを用いて、軸力、曲げモーメント、設計用剪断力を算出するステップをさらに実行するようにしても良い。これにより構造評価等を行うことができる。
【００１０】
本発明に係る方法をコンピュータに実行させるためのプログラムを作成することも可能であり、当該プログラムは、例えばフレキシブル・ディスク、ＣＤ−ＲＯＭ、光磁気ディスク、半導体メモリ、ハードディスク等の記憶媒体又は記憶装置に格納される。また、ネットワークを介してディジタル信号にて頒布される場合もある。なお、処理途中のデータについては、コンピュータのメモリ等の記憶装置に一時保管される。
【発明の効果】
【００１１】
本発明によれば、簡単且つ迅速に、機器導入時における構造評価等を行うことが可能となる。
【発明を実施するための最良の形態】
【００１２】
本発明の一実施の形態に係る屋上鉄骨架台計画支援システム１００の機能ブロック図を図１に示す。本屋上鉄骨架台計画支援システム１００は、直置サブシステム１０と、鉄骨架台サブシステム４０と、２層架台サブシステム２０と、免震架台サブシステム５０と、建物構造検討サブシステム７０と、パース作成サブシステム３０と、報告書作成サブシステム６０とを含む。以下、各サブシステムの機能について詳述する。
【００１３】
最初に、鉄骨架台サブシステム４０の説明を図２乃至図５を用いて行う。鉄骨架台サブシステム４０は、図２に示すような画面を表示し、ユーザに対してデータの入力を促す。なお、入力されたデータについては、屋上鉄骨架台計画支援システム１００の記憶装置内のファイルに格納される。ユーザが機器選定ボタン２０１をクリックすると、当該ボタン２０１の下部に機種種別選択コンボボックスとメーカ選択コンボボックスとが表示されるようになる。この表示には、屋上鉄骨架台計画支援システム１００に含まれる機種ＤＢのデータが用いられる。ユーザは、機種種別選択コンボボックスから、設置すべき機器の機種種別を選択する。また、メーカ選択コンボボックスから、設置すべき機器のメーカを選択する。機種種別及びメーカが選択されると、リストボックスが表示されるようになる。当該リストボックスの表示も機器ＤＢのデータが用いられている。リストボックスに含まれる製品リストから、設置する屋外機、蓄熱ユニットの組み合わせを選択すると、当該機器の外形図などが、例えば別ウインドウにて表示される。この外形図などの表示にも機器ＤＢのデータが用いられている。なお、機器データについては、ユーザが自ら寸法、重量、指示点位置を入力することも可能である。
【００１４】
また、機器を選択すると、機器データ表示欄２０２において、屋外機型式及び蓄熱槽型式の列にデータが表示されるようになる。台数は、配置図表示欄２０３に機器が設定される毎に更新される。機器データ表示欄２０２に表示された機器のみ、配置図表示欄２０３に配置可能である。なお、機種等の変更は、台数が０の場合に、機器データ表示欄２０２の更新クリックボタン欄にチェックを付した後、上で述べたように機器を選択することにより可能となる。
【００１５】
次に、スパン通り芯データ入力欄２０４に、Ｘ方向及びＹ方向それぞれのスパンを入力する。なお、「通り芯表示」の文字をクリックすると、配置図表示欄２０３に通り芯が表示される。通り芯データの入力は、機器、梁配置の前に行う必要がある。
【００１６】
さらに、機器・梁配置コントロール部２０５において、「配置」「移動」「削除」のいずれかのクリックボタンをクリックし、その後対象部材をクリックすることにより、機器及び梁を配置する。なお、鉄骨梁及び柱の配置は、原則的に以下のとおりに行う。（１）柱については、通り芯の交点に配置でき、交点近傍でクリックすることにより配置される。（２）大梁については、両端が柱であることが要件として定められており、連続して配置でき、柱の位置で分割される。始点の柱付近をクリックし、さらに終点の柱を指定することにより配置される。（３）小梁については、両端が大梁であることが要件として定められており、連続して配置できるが大梁位置で分割される。始点の大梁でクリックし、さらに終点の大梁を指定することにより配置される。傾斜の方向により向きが決められる。（４）孫梁については、両端が大梁と小梁のいずれかであることが要件として定められており、これらと交差した位置で分割される。始点の大梁等でクリックし、さらに終点の大梁等を指定することにより配置される。傾斜の方向により向きが決められる。（５）繋梁については、両端が大梁、小梁、孫梁のいずれかであることが要件として定められており、これらと交差した位置で分割される。始点の大梁等でクリックし、さらに終点の大梁等を指定することにより配置される。傾斜の方向により向きが決められる。これらの関係については、図３に示しておく。なお、同種梁の交差は外見上は可能であるが、構造的に連結できていないので荷重は伝達できないので注意する必要がある。
【００１７】
その後チェックボタン２０６をクリックすると、配置図表示欄２０３において再描画が行われ、データが確定される。
【００１８】
移動については、移動対象部材等をドラッグすることで移動することができる。チェックボタン２０６をクリックすると、配置図表示欄２０３において再描画が行われ、データが確定される。このとき、両端に大梁の無い小梁など矛盾が生ずる部材は自動的に削除される。削除については、削除対象部材等を指定して削除することができる。
【００１９】
蓄熱ユニット等を配置する場合には、配置する機器の指定とその方向を指定する必要がある。従って、機器データ表示欄２０２において機器を選択し、その後蓄熱ユニット表示指定欄２０７において縦又は横を選択すると、選択された機器が選択された方向で配置されるようになる。
【００２０】
機器・梁の配置データを編集するには、ボタン群２０８を用いる。なお、左から、移動（左・右・上・下）、拡大縮小、矩形範囲指定、元の縮尺に戻す、スパン毎の図面コピーを指示するためのボタンである。このほか、既データ参照ボタン２０９をクリックすれば、屋上鉄骨架台計画支援システム１００の記憶装置に格納しておいたファイルを選択して、読み込むことができる。また、計算済データ保存ボタン２１０をクリックすれば、屋上鉄骨架台計画支援システム１００の記憶装置に入力データをファイルとして保存することができる。
【００２１】
さらに、ボタン２１１をクリックすると、既存建物構造データの入力画面が表示され、当該入力画面においては構造種別（鉄筋コンクリート／鉄骨造）、建築面積、塔屋面積、階高、地上階数を入力するようになっている。計算済保存ボタン２１０と「計算へ」ボタン２１２をクリックする前に、ボタン２１１をクリックして既存建物構造データを入力する必要がある。
【００２２】
例えば、図４に示すような表示が配置図表示欄２０３に行われるように入力を行った後、「計算へ」ボタン２１２をクリックすると、図５に示すような画面が表示される。図５は、架台算定画面を示している。図５の架台算定画面では、各柱の柱反力、鉄骨重量（ｔ）、総積載荷重（ｔ）、選定部材寸法等が表示されている。なお、荷重モードには、（１）長期荷重、（２）地震時Ｘ＋、（３）地震時Ｘ−、（４）地震時Ｙ＋、（５）地震時Ｙ−がある。荷重状態を選択した場合でも部材形状は原則として変化しないが、柱軸力は荷重状態により変化する。これはイタレーションにより各荷重状況を包絡する形状を求めているためである。また、屋外機、蓄熱ユニットの荷重の伝達ができない場合にはエラーメッセージが表示されるので、梁位置の変更や追加が必要となる。架台算定結果も、屋上鉄骨架台計画支援システム１００の記憶装置に格納される。
【００２３】
次に、図６乃至図９を用いて２層架台サブシステム２０の説明を行う。２層架台サブシステム２０は、第１層のデータ入力のため図６に示すような画面を表示装置に表示する。この画面は、図２の画面とほぼ同じであるが、表示階層の表示欄と、層高さの入力欄とが設けられており、「計算へ」ボタンの代わりに「部材サイズ計算へ」ボタンが設けられている。この「部材サイズ計算へ」ボタンをクリックすると、図７のような画面が表示される。この画面は図５と同様である。
【００２４】
第２層のデータ入力も図６と同様にして行う。その後、２層架台サブシステム２０が表示する最上位の画面に戻って、Ｍｏｄｅｌ形状表示ボタンをクリックすると、図８に示すような表示が行われる。この画面によれば、Ｍｏｄｅｌの右側部分のみが２層構造となっているのが分かる。
【００２５】
そして図８の画面において「構造解析」ボタンをクリックすると、図８に示したような解析モデルで解析を実行する。解析においては、部材を仮定して立体解析で実施し、繰り返し計算で適切な部材を選定している。
【００２６】
解析終了がｆｌａｇ欄において示されると、「荷重ケース選択」コンボボックスと、「印刷成分選択」コンボボックスとで、上で述べた荷重モードのいずれかと、表示又は印刷内容とを指定し、「解析結果（応力）表示」ボタンをクリックすると、解析結果が表示される。例えば図９に示すような画面が表示される。これにより応力状態を判断することができるようになる。
【００２７】
また、図８において「部材サイズ表示」ボタンをクリックすると、例えば図８のモデル図に、骨組み部材の寸法が表示される。
【００２８】
入力・表示データは、屋上鉄骨架台計画支援システム１００の記憶装置に格納される。
【００２９】
次に、免震架台サブシステム５０について説明する。免震架台サブシステム５０は、鉄骨架台サブシステム４０により１層の鉄骨架台を検討した後に必要に応じて実行させる。免震架台サブシステム５０は、最初に図１０に示すような画面を表示する。図１０における免震条件設定メニュー２２１をクリックすると、「架台の周期目標値」と「架台設計用水平震度」とを入力するための画面が表示され、それらの値を入力する。そうすると、架台設計水平震度の表示欄２２２に、入力した値が表示される。その後、確認ボタン２２３をクリックすると、機器の水平震度を変更して架台を再計算し、結果を配置図表示欄２２４に表示する。例えば図１１に示すような表示が行われる。図１１に示した例では、図５に示した計算結果と形状については同じであるが、数値が異なっている。
【００３０】
ここで免震装置設計ボタン２２５をクリックすると、図１２に示すような画面が表示されるようになる。図１２の画面の支承材の選択欄２３１において、コンボボックス２３１ａから滑り支承の減衰定数と、コンボボックス２３１ｂから復元材の種別を選択し、「復元材表示」ボタンをクリックすると、設計条件に適合する復元材の組み合わせがポップアップウインドウ２３２として表示される。この表示は、免震架台サブシステム５０が有する復元材ＤＢからデータを読み出して行われる。ポップアップウインドウ２３２において、復元材の設置箇所数（設置台数）をクリックして「戻る」ボタンをクリックすると、、支承材の選択欄２３１における設置箇所数の表示欄２３１ｃに、設置台数が表示されるようになる。
【００３１】
その後、「計算／表示」ボタン２３３をクリックすると、図１３に示すような画面が表示される。すなわち、配置図表示欄２４１に、支承、復元材の配置が表示されるようになる。また、選択された復元材と支承のデータが、リストボックス２４２に表示されるようになる。リストボックス２４２には、滑り支承の場合、長期軸力、仕様（名称、直径、許容荷重、摩擦係数、面圧、降伏荷重）を含む。復元材の場合には、名称、ゴム剛性、直径、ゴム層厚、階数、箇所数、水平剛性、周期、重心位置、剛心位置、捻り補正、変形量、剪断歪みを含む。また、計算結果表示欄２４４には、全体水平剛性、総重量、固有周期、最大変位などのデータが算出され表示される。ここで、保存ボタン２４３をクリックすると、ファイルとして表示されたデータを屋上鉄骨架台計画支援システム１００の記憶装置に格納することができる。
【００３２】
次に、直置サブシステム１０について説明する。直置サブシステム１０は、スラブに直接機器を設置するケースのスラブと小梁の強度を有限要素法により検討するものである。具体的には、スラブ変形表示（例えば２１分割の変位コンター）、スラブモーメント表示（方向別コンター）、スラブの断面検討（許容応力超過領域表示）、小梁応力表示（許容応力と存在応力の比較表示）を行うものである。
【００３３】
直置サブシステム１０は、最初に図１４に示すような画面を表示する。図１４の画面では、「All Clear」「床組データ入力」「境界条件設定」「基礎形状設定」「スラブデータ」「個別荷重設定」「ＨＥＬＰ」というメニュー項目が含まれている。
【００３４】
「All Clear」は新規作成の時選択するものであり、中間ファイルの内容を消去する。
【００３５】
「床組データ入力」は、「梁形状データ作成」「大梁位置入力」「小梁位置入力」というサブメニューを含み、「梁形状データ作成」は「ＲＣ梁形状」「ＳＳ梁形状」「ＲＣ小梁配筋設定」というサブメニューを含む。
【００３６】
「梁形状データ作成」の「ＲＣ梁形状」を選択すると、４種類のＲＣ梁の形状を入力するためのポップアップウインドウが表示される。部材サイズを入力すると、重量が算出されて表示される。入力データについては中間ファイルに保存される。このように入力された梁はＲＣ１乃至４として設定され、表示される。
【００３７】
「梁形状データ作成」の「ＳＳ梁形状」を選択すると、４種類のＳＳ梁の形状を入力するためのポップアップウインドウが表示される。このポップアップウインドウでは、番号を指定し、鉄骨リストを含むコンボボックスから該当する部材を選択することによって、屋上鉄骨架台計画支援システム１００のファイルからデータを読み出し、形鋼サイズと重量が表示されるようになる。このようにして指定されたデータについては中間ファイルに保存される。このように入力された梁はＳＳ１乃至４として設定され、表示される。
【００３８】
「梁形状データ作成」の「ＲＣ小梁配筋設定」を選択すると、上で設定したＲＣ梁について配筋を定義するためのポップアップウインドウが表示される。このポップアップウインドウでは、小梁名称のリストを表示するためのコンボボックスから配筋を設定する小梁名（ＲＣ梁形状を設定した梁の名称）を選択し、主筋の材種をコンボボックスから選択し、スターラップの材質をコンボボックスから選択し、コンクリートの材種をコンボボックスから選択し、梁の各部位について必要な配筋量をコンボボックスで選択すると、鉄筋量を計算して表示する。コンボボックスについては、屋上鉄骨架台計画支援システム１００の記憶装置に格納されたファイルからデータを読み出して表示がなされる。このように入力されたデータについては、中間ファイルに保存される。
【００３９】
「大梁位置入力」を選択すると、大梁の外面（スラブ側）の位置を設定するためのポップアップウインドウが表示される。このポップアップウインドウでは、通り芯から梁面までの距離を入力する。入力されたデータについては、中間ファイルに保存される。
【００４０】
「小梁位置入力」を選択すると、小梁の位置を設定するためのポップアップウインドウが表示される。このポップアップウインドウでは、梁番号を指定して、断面記号、開始点座標（Ｘ座標及びＹ座標）、終了点座標（同左）、壁の有無といったデータを入力するようになっている。そうすると、鉄筋量が算出される。このように入力されたデータについては、中間ファイルに保存される。
【００４１】
「境界条件設定」を選択すると、解析モデルの境界条件を設定するためのポップアップウインドウが表示される。なお、事前にメッシュ分割し、解析モデルを作成しておく必要がある。ここで、境界条件の番号欄をクリックした後、メッシュが表示されている画面において境界条件を設定すべきメッシュ交点を矩形で範囲指定する。そうすると、対象筋点について境界条件が設定される。
【００４２】
「基礎形状設定」を選択すると、機械基礎の形状を設定するためのポップアップウインドウが表示される。このポップアップウインドウでは、基礎形状の番号を指定した上で、「鉄骨基礎」「ＲＣ基礎」「ベタ基礎」のいずれかを選択すると、それぞれの基礎に応じたデータ入力フォームが表示されるようになる。「鉄骨基礎」が選択された場合、鉄骨の長さと間隔とを入力し、鉄骨の形状をコンボボックスから選択する。「ＲＣ基礎」が選択された場合、ＲＣ基礎の長さと間隔とを入力し、基礎幅と基礎丈とを入力する。「ベタ基礎」が選択された場合、長さ、間隔、高さを入力する。
【００４３】
「スラブデータ」には、「スラブ・床荷重設定」と「配筋量入力」のサブメニュー項目が含まれる。「スラブ・床荷重設定」を選択すると、スラブの躯体寸法と重量を設定するためのポップアップウインドウが表示される。このポップアップウインドウでは、床荷重を選択するための「重い」「普通」「軽い」というクリックボタンが設けられており、いずれかを選択すると対応するデフォルト値が選択されてことになる。但し、テキストボックスに数値を入力するようにしてもよい。また、躯体寸法の入力テキストボックスが設けられており、数値を入力する。「配筋量入力」を選択すると、スラブ配筋量を設定するためのポップアップウインドウが表示される。このポップアップウインドでは、コンボボックスから鉄筋の材質を選択し、鉄筋量を該当コンボボックスから選択する。鉄筋量については、上端筋（スパン寸法の短い方向の鉄筋）、下端筋毎に、Ｘ方向（径・間隔）、Ｙ方向（径・間隔）の値を設定する。
【００４４】
「個別荷重設定」を選択すると、機器、機器基礎、仕上げ荷重以外の荷重を設定するためのポップアップウインドウが表示される。なお、全て分布荷重として定義する。Ｗ（分布荷重）＝Ｐ（全荷重）／Ａ（負担面積）である。このポップアップウインドウでは、名称、荷重、原点座標、Ｘ方向長さ、Ｙ方向長さを入力するテキストボックスが設けられている。
【００４５】
次に、図１４における直置の場合における検討手順を説明する。図１４においてスパン入力部２４１に、Ｘ方向及びＹ方向のスパンを１組入力する。そして、モデル再表示ボタン２４２をクリックすると、配置図表示欄２４３においてスパンが図１５に示すように表示される。
【００４６】
次に、「床組データ入力」のメニュー項目を選択し、小梁、大梁の寄りなどを設定する。そして、再度モデル再表示ボタン２４２をクリックし、表示を更新して小梁位置などスラブ形状を確認する。さらに、小梁が正しく設定されていることを確認した後に、メッシュ分割ボタン２４４をクリックする。そうすると、デフォルトの境界条件が設定され、スラブ周辺固定、小梁下に壁を設定した場合はこの部分鉛直方向固定の表示がなされる。特別な境界条件を設定する場合はここで「境界条件設定」のメニュー項目を選択し、境界条件を追加・変更する。
【００４７】
次に、機器配置として、機器選定ボタン２４５をクリックし、鉄骨架台サブシステム４０の場合と同様の手順で、機器データ表示欄２４６に表示させる。その後、機器コントロール・フレーム２４７における「配置」クリックボタンと「蓄熱ユニット／熱源器」を選択し、さらに機器表示欄２４６から機器を選択して、配置図表示欄２４３に機器の表示を行わせる。
【００４８】
さらに、機器基礎の配置として、機器コントロール・フレーム２４７において「配置」チェックボタンと「機器基礎」とを選択する。なお、予め「機器基礎設定」のメニュー項目から参照データを作成しておく必要がある。「機器基礎」を選択すると、機器基礎形状リストが表示されるので、配置基礎の番号を選択し、「蓄熱ユニット／基礎方向」の指定欄２４８において基礎の設定方向を選択して、機器基礎を配置図表示欄２４３に配置する。
【００４９】
また、機器、機器基礎の移動については、機器コントロール・フレーム２４７において「移動」を選択し、さらに「蓄熱ユニット／熱源器」又は「機器基礎」を選択し、配置図表示欄２４３において移動すべき機器などを選択した後に移動させる。その後、モデル再表示ボタン２４２をクリックすると、移動位置が確定される。
【００５０】
さらに、スラブ自重等の設定として、「スラブデータ」のメニュー項目を選択してデータを設定する。
【００５１】
最後に、個別荷重の設定については、「個別荷重設定」のメニュー項目を選択してデータを設定する。
【００５２】
これでデータ入力が完了したので、「応力解析実行」ボタン２４９をクリックすると、データをＦＥＭ（Finite Element Method）プログラム用に変換し、解析処理を実行させる。
【００５３】
解析結果については、まず表示成分を選択するためのコンボボックス２５１において、スラブの鉛直変位、Ｘ，Ｙ軸廻りモーメント、Ｘ，Ｙ方向の鉄筋量の検討図のいずれかを選択する。その後、「解析結果の表示」ボタン２５０をクリックすると、選択した表示成分についてのデータが表示される。
【００５４】
例えば図１６のような機器及び機器基礎配置が入力されている状態で、応力解析実行ボタン２４９がクリックされて解析処理が実行されると、鉛直変位を表示成分とする場合には、図１７に示すような図が表示される。また、Ｙ方向の配筋量の検討を表示成分とする場合には、図１８に示すような図が表示される。このような表示を行うことにより、変位の大小、モーメントの大小、配筋量の不足を色分け（例えば、上端筋：緑、下端筋：赤）して把握することができるようになる。
【００５５】
また、「小梁の断面検討」ボタン２５２がクリックされると、図１９に示すような画面が表示される。図１９の画面において、コンボボックス２６１で小梁を選択すると、曲げモーメントＭ及び剪断力Ｑが表示される。塗り潰し範囲は、配筋・断面形状から決まる抵抗モーメント、又は許容剪断力の範囲を示している。
【００５６】
また、図１４の画面において「スラブ応力検討−２」ボタン２５３をクリックして、配置図表示欄２４３における１点をクリックすると、この点を含むＸ，Ｙ断面について図２０に示すような画面が表示される。図２０の例では、表示成分のコンボボックス２７１において「変位」が選択された場合を示している。コンボボックス２７１において「モーメント」が選択されると、図２１に示すような画面が表示される。塗り潰し部分は抵抗モーメントを示しており、これを超えるモーメント値が計算されている場合には、鉄筋量が不足していることを示している。
【００５７】
次に、建物構造検討サブシステム７０について説明する。建物構造検討サブシステム７０における建物強度チェックの処理は、例えば図２のボタン２１９をクリックすることにより開始される。その際、直下階の柱の強度の検討として、（１）設計時の積載荷重より推定（積載荷重の少ない場合で、設計時の積載荷重とのチェックを行う）、（２）直下階の躯体寸法を仮定し強度を推定、（３）構造計算書強度より推定を選択することができる。また、（４）鉄骨梁上に架台を設置する場合の梁強度の検討（ＲＣ造、架台を設置しない梁の強度検討も可能）を選択することも可能である。
【００５８】
（１）設計時の積載荷重より推定が選択された場合には、図２２に示すような画面が表示される。図２２の画面においては、屋上面積の数値の入力欄と、屋上が歩行できるか歩行できないかのクリックボタンとが設けられており、屋上面積の数値を入力し、屋上タイプのいずれかを選択する。なお、追加積載荷重については、鉄骨架台及び機器等による数値が表示される。そして、ユーザによる確認ボタンのクリックに応じて、建物設計時荷重として地震時計算用荷重（屋上全体）と柱・梁計算用荷重（載荷エリア）が算出され、表示される。さらに、図２３に示すような基準値（歩行と非歩行の別に、柱梁計算用基準値と地震荷重計算用基準値）との比較に基づき、設置可能かを判定して、判定の表示欄に表示する。なお、柱・梁計算用荷重の載荷面積については、図２４に示すように計算する。すなわち、外周柱＋外側１ｍの面積である。
【００５９】
次に、既設建物の構造を鉄筋コンクリートと指定し且つ（２）直下階の躯体寸法を仮定し強度を推定又は（３）構造計算書強度より推定を選択した場合について説明する。この場合、図２５に示すような画面が表示装置に表示される。図２５の画面の蓄熱槽・架台追加荷重の表示欄３０４においては、これまでに設定された機器及び架台の総載荷荷重などが表示される。また、（２）直下階の躯体寸法を仮定し強度を推定を選択した場合には、構造計算書・構造図の有無の設定欄３０１において「無し」が選択された状態で図２５の画面が表示される。また（３）構造計算書強度より推定を選択した場合には、構造計算書・構造図の有無の設定欄３０１において「有り」が選択された状態で図２５の画面が表示される。なお、この段階にて「有り」又は「無し」に変更することも可能である。ここで「無し」が選択されている場合には、構造データ入力支援欄３０２に入力を行う。構造計算書及び構造図が存在する場合には、構造計算書データ入力欄３０５に入力を行う。
【００６０】
構造計算書及び構造図が存在しない場合、構造データ入力支援欄３０２において、建築面積、階高、塔屋延床面積、地上階数、スパン数の入力をテキストボックスに対して行い、屋根タイプ（歩行／非歩行）、屋根仕上げ（重／普通／軽量）、耐震壁の量（多／普通／少）、壁の量（多／普通／少）、柱の位置（内部／外周部）について該当する選択肢を選択する。その後、構造データ入力支援欄３０２における確認ボタンをクリックすると、入力及び選択データに従った各種数値が特定され、構造データ入力支援欄３０２において表示されるようになる。
【００６１】
例えば、屋根ＴＹＰＥについては「歩行」が選択されると６０ｋｇ／ｍ2が特定され、「非歩行」が選択されると３０ｋｇ／ｍ2が特定される。また、屋根仕上げについては「重」が選択されるとＡｋｇ／ｍ2が特定され、「普通」が選択されるとＢｋｇ／ｍ2が特定され、軽量が選択されるとＣｋｇ／ｍ2が特定される。なお、Ａ＞Ｂ＞Ｃである。このように特定された数値については個別に修正することも可能である。
【００６２】
そして、構造データ入力支援欄３０２の荷重計算ボタンをクリックすると、各種計算が行われ、構造計算書データ入力欄３０５における各入力表示欄に計算結果が表示されるようになる。すなわち、構造データ入力支援欄３０２において入力設定されたデータから構造計算書のデータが生成される。
【００６３】
その後、断面形状表示入力欄、コンクリート種別表示欄、主筋種別表示欄、及びHoop種別表示欄を含むエリア３０３においては、断面形状表示入力欄に数値を入力し、その他の表示欄については、リンクをクリックすることにより対応する数値が表示欄に表示されるようになる。
【００６４】
一方、構造計算書及び構造図が存在する場合には、構造計算書データ入力欄３０５の各種入力欄にデータを入力する。すなわち、屋根面積、設計時積載荷重、長期鉛直力、曲げモーメント、剪断力、地震時最上階層剪断力、当該柱負担剪断力、鉛直力、曲げモーメント、引張鉄筋断面積、剪断補強筋量などを入力する。
【００６５】
構造計算書データ入力欄３０５の各種入力欄にデータが入力されると、計算に必要な荷重が確定することになる。従って、当該構造計算書データ入力欄３０５の確認ボタンをクリックすると、「軸力」「曲げモーメント」「設計用剪断力」が算出され、エリア３０６に表示されるようになる。
【００６６】
エリア３０３における入力データ、エリア３０６における計算結果などを確認の後に、主筋量計算ボタン３０８をクリックすると、検討結果表示欄３０７において、主筋、引張鉄筋比、帯筋比の必要量などが算出され、表示されるようになる。
【００６７】
次に、既設建物の構造を鉄骨造と指定し且つ（２）直下階の躯体寸法を仮定し強度を推定又は（３）構造計算書強度より推定を選択した場合について説明する。この場合、図２６に示すような画面が表示装置に表示される。構造計算書・構造図の有無の欄３１１及び蓄熱槽・架台追加荷重表示欄３１４については、図２５と同様なので説明を省略する。
【００６８】
構造データ入力支援欄３１２は、構造計算書などが存在しない場合に入力する欄であり、建築面積、階高、塔屋延床面積、地上階数、スパン数の各入力欄と、屋根Ｔｙｐｅについてのクリックボタン（歩行／非歩行）、屋根仕上についてのクリックボタン（重／普通／軽量）、壁の量についてのクリックボタン（多／普通／少）、ブレースの数（Ｘ及びＹ）の入力欄、柱の位置についてのクリックボタン（内部／Ｘ外周部／Ｙ外周部）などが設けられている。これらの入力及び選択を行った後、構造データ入力支援欄３１２の確認ボタンをクリックすると、クリックボタンで選択された事項に対応する数値が構造データ入力支援欄３０２内の表示欄に表示されるようになる。表示欄の数値は、必要に応じて修正が可能である。
【００６９】
また、柱材選択欄３１３において、コンボボックスを用いて鋼管種別、部材形状、材質を選択する。なお、階高及び確認ボタンは、構造計算書・構造図が「無し」とされた場合には、存在しない。
【００７０】
そして、荷重計算ボタンをクリックすると、各種計算が行われ、柱材選択欄３１３の各種表示欄に数値が表示されると共に、構造計算書データ入力欄３１５における各入力表示欄に計算結果が表示されるようになる。すなわち、構造データ入力支援欄３０２において入力設定されたデータから構造計算書のデータが生成される。
【００７１】
なお、構造計算書などが存在している場合には、柱材選択欄３１３において、階高を入力し、確認ボタンをクリックすると、各種数値が特定され、柱材選択欄３１３内の表示欄に表示されるようになる。また、構造計算書データ入力欄３１５にも対応する数値が表示されるようになる。
【００７２】
構造計算書などが存在する場合には、構造計算書データ入力欄３１５において、屋根面積、設計用積載荷重、長期鉛直力（Ｘ方向）、曲げモーメント（Ｘ方向及びＹ方向）、剪断力（Ｘ方向及びＹ方向）、地震時最上階層剪断力、当該柱負担剪断力（Ｘ方向及びＹ方向）、鉛直力（Ｘ方向及びＹ方向）、曲げモーメント（Ｘ方向及びＹ方向）、許容圧縮力度、許容曲応力度、許容引張応力度について数値を入力する。これらを入力した後に、構造計算書データ入力欄３１５における確認ボタンをクリックすると、各種計算が行われ、エリア３１６において、軸力、曲げモーメント、及び設計用剪断力のＸ方向及びＹ方向の値が表示されるようになる。
【００７３】
以上述べたような入力データ及び計算結果を確認した後、断面検定ボタン３１８をクリックすると、所定の計算が行われ、検討結果表示欄３１７に結果が表示されるようになる。なお、強度の判定結果も表示される。
【００７４】
図２５の画面に従って判定処理を行わせると、例えば図２７に示すような出力がなされる。図２７では、検討対象の柱の設計条件（位置、階高、断面形状、使用材料種別）、応力（設計時応力（長期・地震時・短期）、機器架台追加応力、検定用応力毎に、軸力、曲げモーメント、剪断力など）、鉄筋量（配筋量と必要鉄筋量と判定）、フープ（配筋量などと判定）とが含まれている。
【００７５】
次に、（４）鉄骨梁上に架台を設置する場合の梁強度の検討を選択した場合について説明する。この場合、次に、（４−１）鉄骨造又は（４−２）鉄筋コンクリート造のいずれかを選択する。
【００７６】
（４−１）鉄骨造が選択されると、図２８に示すような画面が表示される。図２８の梁名称設定欄３２１において、梁の向き（軸（通り）Ｘ方向又はＹ方向）と両端の通り芯番号（区間）を設定し、確認ボタンをクリックすると、エリア３２２に、梁の線分が表示されるようになる。
【００７７】
図２８の画面の「計算データ設定」というメニュー項目を選択すると、「梁形状／架台データ」「地震時荷重データ」「小梁配置データ」というサブメニュー項目が表示されるようになる。
【００７８】
「梁形状／架台データ」というサブメニュー項目を選択すると、大梁の形状、許容応力、架台荷重の設定を行うポップアップウインドウが表示されるようになる。このポップアップウインドウでは、スパンとして検討対象の大梁の長さ、梁の端部が建物内部の柱に結合しているのか又は外周部の柱と結合しているかの選択、断面形状を示すＨ形断面の各部の寸法、使用鋼材の種類、屋外機用の架台設計の画面において示された柱記号と梁の左端からの距離とで構成される架台柱データを入力するようになっている。このポップアップウインドウにおける確認ボタンがクリックされると、梁の断面性能が算出され表示される。
【００７９】
また、「地震時荷重データ」というサブメニュー項目を選択すると、建物の地震荷重算定に必要なデータを入力するためのポップアップウインドウが表示される。このポップアップウインドウでは、屋上階の延面積である建築面積、屋階の直下階の階高又は建物の平均階高である階高、ＰＨの延床面積である塔屋延床面積、地上階数、各方向のスパン数、屋根Ｔｙｐｅ（歩行／非歩行）、仕上げの程度、防水層＋ルーフブロックを基準とした屋根仕上（重／普通／軽量）、屋根Ｔｙｐｅで特定される荷重に対して壁の多寡により単位床面積当たりの荷重を補正するための壁の量（多／普通／少）、左右の柱条件を柱頭の左右両方向に梁がついていれば内部の柱、片方のみの場合には外部の柱のいずれかである柱の位置（内部／外周部）、検討対象の梁と同方向のブレース付架構の数であるブレースの数などを入力するようになっている。このポップアップウインドウにおける柱分類ボタンをクリックすると、内部の柱と外周部の柱の本数が算出され、表示されるようになっている。
【００８０】
さらに、「小梁配置データ」というサブメニュー項目を選択すると、大梁の長期鉛直荷重算定に必要なデータ（集中荷重を含む）を入力するためのポップアップウインドウが表示される。このポップアップウインドウでは、床組を定義する領域、当該領域における小梁の掛け方、Ｌ１又はＬ２の寸法、小梁数、小梁サイズ、大梁に当初から設置されている無視できない機器荷重として３つの鉛直荷重についてのデータ（大梁の左端からの距離と鉛直荷重）を入力するようになっている。
【００８１】
計算データ設定の各サブメニュー項目についてデータを入力すると、図２９に示すような画面が表示されることになる。すなわち、「梁形状／架台データ」というサブメニュー項目のためのポップアップウインドウにおいてデータを入力すると、エリア３３１及び３３２、テーブル３３５、テーブル部分３３６にデータが表示されるようになる。また、「地震時荷重データ」というサブメニュー項目のためのポップアップウインドウにおいてデータを入力すると、テーブル３３４にデータが表示されるようになる。さらに、「小梁配置データ」というサブメニュー項目のためのポップアップウインドウにおいてデータを入力すると、テーブル３３３にデータが表示されるようになる。
【００８２】
図２９の画面において応力集計ボタンをクリックすると、集計が行われテーブル３３７に集計結果が表示されるようになる。なお、地震時荷重については架台重量の増加分も評価し集計するようになっている。
【００８３】
また、鉄骨断面検定ボタンをクリックすると、鉄骨断面性能と各応力状態に対応した検討結果が、テーブル３３８に表示される。断面の不足箇所については例えば赤で塗られる。また、充足箇所については例えば緑で塗られる。全てが緑で塗られる場合には、総合評価についても、当該梁に載荷可能というコメントが表示される。一方、一部にでも赤が塗られている場合には、総合評価についても、当該梁の配筋が不足しているなどのコメントが表示される。
【００８４】
（４−２）鉄筋コンクリート造が選択されると、図３０に示すような画面が表示される。図２８の画面と同様に、梁名称設定欄３４１において、梁の向き（軸（通り）Ｘ方向又はＹ方向）と両端の通り芯番号（区間）を設定し、確認ボタンをクリックすると、エリア３４２に、梁の線分が表示されるようになる。
【００８５】
図３０の画面の「計算データ設定」というメニュー項目を選択すると、「梁形状／架台データ」「地震時荷重データ」「小梁配置データ」というサブメニュー項目が表示されるようになる。
【００８６】
「梁形状／架台データ」というサブメニュー項目を選択すると、大梁の形状、許容応力、架台荷重の設定を行うポップアップウインドウが表示されるようになる。このポップアップウインドウでは、スパンとして検討対象の大梁の長さ、梁の端部が建物内部の柱に結合しているのか又は外周部の柱と結合しているかの選択、梁断面の幅及び丈の寸法、使用材料の種類（コンクリート種別、主筋種別、あばら筋種別）、屋外機用の架台設計の画面において示された柱記号と梁の左端からの距離とで構成される架台柱データを入力するようになっている。このポップアップウインドウにおける確認ボタンがクリックされると、梁の断面性能が算出され表示される。
【００８７】
また、「地震時荷重データ」というサブメニュー項目を選択すると、建物の地震荷重算定に必要なデータを入力するためのポップアップウインドウが表示される。このポップアップウインドウでは、屋上階の延面積である建築面積、屋階の直下階の階高又は建物の平均階高である階高、ＰＨの延床面積である塔屋延床面積、地上階数、各方向のスパン数、屋根Ｔｙｐｅ（歩行／非歩行）、仕上げの程度、防水層＋ルーフブロックを基準とした屋根仕上（重／普通／軽量）、屋根Ｔｙｐｅで特定される荷重に対して壁の多寡により単位床面積当たりの荷重を補正するための壁の量（多／普通／少）、左右の柱条件を柱頭の左右両方向に梁がついていれば内部の柱、片方のみの場合には外部の柱のいずれかである柱の位置（内部／外周部）、検討対象の梁と同方向のブレース付架構の数であるブレースの数などを入力するようになっている。このポップアップウインドウにおける柱分類ボタンをクリックすると、内部の柱と外周部の柱の本数が算出され、表示されるようになっている。
【００８８】
さらに、「小梁配置データ」というサブメニュー項目を選択すると、大梁の長期鉛直荷重算定に必要なデータ（集中荷重を含む）を入力するためのポップアップウインドウが表示される。このポップアップウインドウでは、床組を定義する領域、当該領域における小梁の掛け方、Ｌ１又はＬ２の寸法、小梁数、小梁サイズ、大梁に当初から設置されている無視できない機器荷重として３つの鉛直荷重についてのデータ（大梁の左端からの距離と鉛直荷重）を入力するようになっている。
【００８９】
計算データ設定の各サブメニュー項目についてデータを入力すると、図３１に示すような画面が表示されることになる。すなわち、「梁形状／架台データ」というサブメニュー項目のためのポップアップウインドウにおいてデータを入力すると、エリア３５１、テーブル３５５にデータが表示されるようになる。また、「地震時荷重データ」というサブメニュー項目のためのポップアップウインドウにおいてデータを入力すると、テーブル３５４、テーブル部分３５７にデータが表示されるようになる。さらに、「小梁配置データ」というサブメニュー項目のためのポップアップウインドウにおいてデータを入力すると、テーブル３５３にデータが表示されるようになる。
【００９０】
図３１の画面において応力集計ボタンをクリックすると、集計が行われテーブル３５６に集計結果が表示されるようになる。既施工配筋量は再表示される。なお、地震時荷重については架台重量の増加分も評価し集計するようになっている。
【００９１】
また、配筋検討ボタンをクリックすると、配筋と各応力状態に対応した検討結果が、テーブル３５８に表示される。断面の不足箇所については例えば赤で塗られる。また、充足箇所については例えば緑で塗られる。全てが緑で塗られる場合には、総合評価についても、当該梁に載荷可能というコメントが表示される。一方、一部にでも赤が塗られている場合には、総合評価についても、当該梁の配筋が不足しているなどのコメントが表示される。
【００９２】
次に、パース作成サブシステム３０について説明する。屋上鉄骨架台計画支援システム１００の上位メニューでパース作成が指示されると、パース作成サブシステム３０により、これまでに入力された機器と鉄骨架台の関係が、例えば図３２に示すような図で表示されるようになる。適切なパース図が作成できたら、ファイルに保存しておく。
【００９３】
最後に、報告書作成サブシステム６０について説明する。報告書作成サブシステム６０においては、図３３に示すような画面が表示される。
【００９４】
図３３の画面では、件名及び実施者（ユーザ）の入力欄と、構造検討結果の選択欄（検討−１（設計時の積載荷重より推定）、検討−２（直下階の躯体寸法を仮定し強度を推定）、検討−３（構造計算書より強度を推定）におけるＮＧ，ＯＫ又は実施せずの選択）、総合評価入力欄とが設けられている。従って、データを選択及び入力して、印刷の実行ボタンをクリックすると、報告書が印刷されるようになっている。なお、費用の算出システムが存在する場合には、費用について算出して、報告書においても費用のデータを印刷するようにしても良い。
【００９５】
報告書は、設置機器の名称及び台数、架台の重量及び総重量、機器及び鉄骨梁配置図、構造躯体の検討結果として、建物の構造、建築面積、塔屋面積、階高、地上階数、上記の検討−１乃至３の判定結果、パース図などを含む。
【００９６】
このように計算を行うことにより、ユーザは簡単に機器導入時の設計及び導入の是非の検討を行うことができ、合わせて報告書も作成することができるようになる。
【００９７】
なお、機器についてのユーザデータベースを用意しておき、今後必要となる機器のデータを登録するようにしておいても良い。この場合には、例えば図２のボタン２１８をクリックすることにより登録画面を起動させる。
【００９８】
以上本発明の一実施の形態を説明したが、本発明はこれに限定されるものではない。例えば、図１に示した屋上鉄骨架台計画支援システム１００は、１台のコンピュータ又は専用装置で実装される場合もあれば、複数台のコンピュータにより実装される場合もある。
【００９９】
さらに、図１に示した機能ブロックは、必ずしも実際のプログラムモジュールに対応するものではない。
【０１００】
なお、屋上鉄骨架台計画支援システム１００はコンピュータ装置であって、図３４に示すように当該コンピュータ装置においては、メモリ２５０１（記憶部）とＣＰＵ２５０３（処理部）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ）及びＷｅｂブラウザを含むアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。このようなコンピュータは、上で述べたＣＰＵ２５０３、メモリ２５０１などのハードウエアとＯＳ及び必要なアプリケーション・プログラムとが有機的に協働することにより、上で述べたような各種機能を実現する。
【図面の簡単な説明】
【０１０１】
【図１】本発明の一実施の形態に係る屋上鉄骨架台計画支援システムの機能ブロック図である。
【図２】鉄骨架台サブシステムにおいて表示される画面の一例を示す図である。
【図３】柱と梁の関係を表す模式図である。
【図４】鉄骨架台サブシステムにおいて表示される画面の一例を示す図である。
【図５】鉄骨架台サブシステムにおいて表示される画面の一例を示す図である。
【図６】２層架台サブシステムにおいて表示される画面の一例を示す図である。
【図７】２層架台サブシステムにおいて表示される画面の一例を示す図である。
【図８】２層架台サブシステムにおいて表示される画面の一例を示す図である。
【図９】２層架台サブシステムにおいて表示される画面の一例を示す図である。
【図１０】免震架台サブシステムにおいて表示される画面の一例を示す図である。
【図１１】免震架台サブシステムにおいて表示される画面の一例を示す図である。
【図１２】免震架台サブシステムにおいて表示される画面の一例を示す図である。
【図１３】免震架台サブシステムにおいて表示される画面の一例を示す図である。
【図１４】直置サブシステムにおいて表示される画面の一例を示す図である。
【図１５】直置サブシステムにおけるスパンの表示例を示す図である。
【図１６】直置サブシステムにおいて表示される画面の一例を示す図である。
【図１７】直置サブシステムにおいて表示される画面の一例を示す図である。
【図１８】直置サブシステムにおいて表示される画面の一例を示す図である。
【図１９】直置サブシステムにおいて表示される画面の一例を示す図である。
【図２０】直置サブシステムにおいて表示される画面の一例を示す図である。
【図２１】直置サブシステムにおいて表示される画面の一例を示す図である。
【図２２】建物構造検討サブシステムにおいて表示される画面の一例を示す図である。
【図２３】屋上タイプに応じた荷重データを表すテーブルの一例を示す図である。
【図２４】載荷面積の算出の一例を示す図である。
【図２５】鉄筋コンクリートの断面検討画面を表す図である。
【図２６】鉄骨の断面検討画面を表す図である。
【図２７】鉄筋コンクリートの断面検討結果の出力例を示す図である。
【図２８】建物の鉄骨梁の構造検討画面の一例を示す図である。
【図２９】鉄骨梁検討用画面の一例を示す図である。
【図３０】建物の鉄筋コンクリート梁の構造検討画面を示す図である。
【図３１】鉄筋コンクリート梁検討用画面の一例を示す図である。
【図３２】パース作成サブシステムにおいて表示される画面の一例を示す図である。
【図３３】報告書作成サブシステムにおいて表示される画面の一例を示す図である。
【図３４】コンピュータの機能ブロック図である。
【符号の説明】
【０１０２】
１０  直置サブシステム    ２０  ２層架台サブシステム
３０  パース作成サブシステム    ４０  鉄骨架台サブシステム
５０  免震架台サブシステム    ６０  報告書作成サブシステム
７０  建物構造検討サブシステム
【図１】
2006277643.tif 000003
【図２】
2006277643.tif 000004
【図３】
2006277643.tif 000005
【図４】
2006277643.tif 000006
【図５】
2006277643.tif 000007
【図６】
2006277643.tif 000008
【図７】
2006277643.tif 000009
【図８】
2006277643.tif 000010
【図９】
2006277643.tif 000011
【図１０】
2006277643.tif 000012
【図１１】
2006277643.tif 000013
【図１２】
2006277643.tif 000014
【図１３】
2006277643.tif 000015
【図１４】
2006277643.tif 000016
【図１５】
2006277643.tif 000017
【図１６】
2006277643.tif 000018
【図１７】
2006277643.tif 000019
【図１８】
2006277643.tif 000020
【図１９】
2006277643.tif 000021
【図２０】
2006277643.tif 000022
【図２１】
2006277643.tif 000023
【図２２】
2006277643.tif 000024
【図２３】
2006277643.tif 000025
【図２４】
2006277643.tif 000026
【図２５】
2006277643.tif 000027
【図２６】
2006277643.tif 000028
【図２７】
2006277643.tif 000029
【図２８】
2006277643.tif 000030
【図２９】
2006277643.tif 000031
【図３０】
2006277643.tif 000032
【図３１】
2006277643.tif 000033
【図３２】
2006277643.tif 000034
【図３３】
2006277643.tif 000035
【図３４】
2006277643.tif 000036